(57)【要約】【課題】  従来の圧力補償型流量調整弁にあっては、構造が複雑であることからコストが高く、また、形状も大きく油圧回路に組み込む時に大きなスペースが必要となるために、既存の椅子等に組み込むことが困難であるといった問題があった。【解決手段】  垂直方向の一端側にネジ孔１１ｂが形成されると共に油路を介して他端側に椅子の座部等の昇降体を昇降させるための油圧シリンダ２に接続するための取付部１１ｄが形成され、かつ、前記油路と連通する出口側制御オリフィス１２ｃを有する油路が形成され前記昇降体の油圧回路に接続するための接続部１２ａが形成された本体と、前記ネジ孔に螺合され出入自在な調整ネジ４と、前記ネジ孔に連通して形成された油路内に前記調整ネジと対向して移動可能に収容されると共に前記取付部側に差圧発生用オリフィス５ａが形成された制御ピストン５と、該制御ピストンと前記調整ネジとの間に張設されたスプリング６とから構成した圧力補償型流量調整弁である。【選択図】        図１
2008008346.tif 000002
【特許請求の範囲】
【請求項１】
垂直方向の一端側にネジ孔が形成されると共に油路を介して他端側に椅子の座部等の昇降体を昇降させるための油圧シリンダに接続するための取付部が形成され、かつ、前記油路と連通する出口側制御オリフィスを有する油路が形成され前記昇降体の油圧回路に接続するための接続部が形成された本体と、
前記ネジ孔に螺合され出入自在な調整ネジと、
前記ネジ孔に連通して形成された油路内に前記調整ネジと対向して移動可能に収容されると共に前記取付部側に差圧発生用オリフィスが形成された制御ピストンと、
該制御ピストンと前記調整ネジとの間に張設されたスプリングと、
から構成し、前記調整ネジのねじ込み量に応じて前記油圧シリンダ側からの油圧によって前記制御ピストンが移動して前記油圧シリンダの油圧の大小に係わらず油圧回路側へ流れる油量が一定となるようにしたことを特徴とする圧力補償型流量調整弁。
【請求項２】
前記本体の前記取付部が昇降シリンダのシリンダにネジ止め固定されていることを特徴とする請求項１記載の圧力補償型流量調整弁。
【請求項３】
垂直方向の一端側にネジ孔が形成されると共に油路を介して他端側に椅子の座部等の昇降体を昇降させるための油圧シリンダに接続するための取付部が形成され、かつ、前記油路と連通する出口側制御オリフィスを有する油路が形成され前記昇降体の油圧回路に接続するための接続部が形成された本体と、
前記ネジ孔に螺合され出入自在な調整ネジと、
前記ネジ孔に連通して形成された油路内に前記調整ネジと対向して移動可能に収容されると共に前記取付部側に差圧発生用オリフィスが形成された制御ピストンと、
該制御ピストンと前記調整ネジとの間に張設されたスプリングと、
から構成し、前記調整ネジのねじ込み量に応じて前記昇降シリンダ側からの油圧によって前記制御ピストンが移動して前記昇降シリンダの油圧の大小に係わらず油圧回路側へ流れる油量が一定となるようにした圧力補償型流量調整弁の２つを前記油圧シリンダと油圧回路との間に向きが逆となるように直列接続したことを特徴とする圧力補償型流量調整弁を用いた油圧回路。
【発明の詳細な説明】
【技術分野】
【０００１】
本発明は理美容椅子、歯科用椅子、手術台等の油圧回路中に接続し、被施術者が乗った状態において、該被施術者の体重に関係なく下降および上昇速度が一定となるようにした圧力補償型流量調整弁およびそれを用いた油圧回路に関する。
【背景技術】
【０００２】
従来における圧力補償型流量調整弁としては、本出願人会社が出願した実開平７−４３２５２号公報の考案がある。この考案は、制御弁２が弁箱１内を摺動可能に設けられた区画壁１ａに、同区画壁１ａに直交し、かつ、対面側へも浅く埋設された丸孔１ｋと制御弁２の突起部２ｃ間の絞りで余剰圧力の消費を行うようにして、制御弁２の動きに対する絞り面積の変化を緩やかなものとすると共に、同絞りの程度を制御するための計量弁４の上流の圧力を制御弁２本体を貫通して設けられた圧力導入路２ａ，２ｂを介して制御弁２の端面側区画に導いたものである。
【特許文献１】実開平７−４３２５２号公報
【発明の開示】
【発明が解決しようとする課題】
【０００３】
ところで、前記した従来の圧力補償型流量調整弁にあっては、構造が複雑であることからコストが高く、また、形状も大きく油圧回路に組み込む時に大きなスペースが必要となるために、既存の椅子等に組み込むことが困難であるといった問題があった。
【０００４】
本発明は前記した問題点を解決せんとするもので、その目的とするところは、構造を簡素化してコストの低減を図ることができると共に、小型化であることから油圧回路に組み込んだ時に組み込むためのスペースを小さくすることができ、また、小型であることから２つを直列に接続することで上昇時と下降時の両方において油量を制御することができる圧力補償型流量調整弁およびそれを用いた油圧回路を提供せんとするにある。
【課題を解決するための手段】
【０００５】
本発明の圧力補償型流量調整弁は前記した目的を達成せんとするもので、請求項１の手段は、垂直方向の一端側にネジ孔が形成されると共に油路を介して他端側に椅子の座部等の昇降体を昇降させるための油圧シリンダに接続するための取付部が形成され、かつ、前記油路と連通する出口側制御オリフィスを有する油路が形成され前記昇降体の油圧回路に接続するための接続部が形成された本体と、前記ネジ孔に螺合され出入自在な調整ネジと、前記ネジ孔に連通して形成された油路内に前記調整ネジと対向して移動可能に収容されると共に前記取付部側に差圧発生用オリフィスが形成された制御ピストンと、該制御ピストンと前記調整ネジとの間に張設されたスプリングとから構成し、前記調整ネジのねじ込み量に応じて前記油圧シリンダ側からの油圧によって前記制御ピストンが移動して前記油圧シリンダの油圧の大小に係わらず油圧回路側へ流れる油量が一定となるようにしたものである。
【０００６】
請求項２の手段は、前記した請求項１において、前記本体の前記取付部が昇降シリンダのシリンダにネジ止め固定されていることを特徴とする。
【０００７】
本発明の圧力補償型流量調整弁を用いた油圧回路の請求項３の手段は、垂直方向の一端側にネジ孔が形成されると共に油路を介して他端側に椅子の座部等の昇降体を昇降させるための油圧シリンダに接続するための取付部が形成され、かつ、前記油路と連通する出口側制御オリフィスを有する油路が形成され前記昇降体の油圧回路に接続するための接続部が形成された本体と、前記ネジ孔に螺合され出入自在な調整ネジと、前記ネジ孔に連通して形成された油路内に前記調整ネジと対向して移動可能に収容されると共に前記取付部側に差圧発生用オリフィスが形成された制御ピストンと、該制御ピストンと前記調整ネジとの間に張設されたスプリングとから構成し、前記調整ネジのねじ込み量に応じて前記昇降シリンダ側からの油圧によって前記制御ピストンが移動して前記昇降シリンダの油圧の大小に係わらず油圧回路側へ流れる油量が一定となるようにした圧力補償型流量調整弁の２つを前記油圧シリンダと油圧回路との間に向きが逆となるように直列接続したことを特徴とする。
【発明の効果】
【０００８】
本発明は前記したように、本体と、調整ネジと、制御ピストンとおよびスプリングとから構成したので、構造が簡単でコストが安く、かつ、小型であるので如何なるスペースにも取付けて理美容椅子等に着座する被施術者の体重の大小に係わらず座部が一定の速度で下降させることが可能である。
【０００９】
また、小型であることから油圧シリンダのシリンダ側に直接取付けることが可能なので、油圧回路として油を移送するためのホースの本数を減らして昇降体の下部を整然とすることが可能となる。
【００１０】
さらに、流量調整弁の２つを向きが逆となるようにして直列接続することで、椅子等の昇降体の上昇および下降速度を、被施術者の体重に関係なく一定の速度で行うことができる等の効果を有するものである。
【発明を実施するための最良の形態】
【００１１】
本発明は、調整ネジのねじ込み量に応じて油圧シリンダ側からの油圧によって制御ピストンが移動して油圧シリンダ側の油圧の大小に係わらず油圧回路側へ流れる油量が一定となるようにした。
【実施例１】
【００１２】
以下、本発明に係る圧力補償型流量調整弁の一実施例を図１〜図３と共に説明する。
１は青銅等の金属によって略Ｔ字状に形成された本体にして、垂直部１１には貫通孔１１ａが形成され、該貫通孔１１ａの一端にはネジ孔１１ｂが形成され、他端は後述する昇降シリンダ２のシリンダ部にネジ止め固定するためのネジ１１ｃを有する先細りの取付部１１ｄが形成されている。また、水平部１２には前記貫通孔１１ａと連通する油路１２ａが形成され、該油路１２ａの入口側には油圧回路にホース３（図３参照）を介して接続するための接続部１２ｂが形成されると共に、出口側には前記貫通孔１１ａと連通する出口側制御オリフィス１２ｃが形成されている。
【００１３】
４は前記本体１における前記ネジ孔１１ｂに螺合される調整ネジにして、ネジを一杯までネジ込んでも前記出口側制御オリフィス１２ｃを塞がない長さに形成されている。また、調整ネジ４の先端側には後述するスプリング６の一端側が収容される突起４ａが形成されている。なお、４ｂは油漏れ防止用のＯリングである。
【００１４】
５は前記調整ネジ４と対向する位置の貫通孔ａ内に摺動自在に収容されたカップ状の制御ピストンにして、空洞内に前記突起４ａの先端部分が入り込んでいる。また、底部には差圧発生用のオリフィス５ａが形成されている。そして、この制御ピストン５は昇降シリンダ２よりの油圧が加わらない状態では前記出口側制御オリフィス１２ｃを塞がない長さに形成されている。
【００１５】
６は一端が前記制御ピストン５の空洞内に入り込み、他端が前記調整ネジ４の突起４ｂが入り込むように配置されたスプリングである。
【００１６】
次に、前記した如く構成した圧力補償型流量調整弁Ａ（以下、調整弁という）を図４に示す理美容椅子の油圧回路に応用した場合の動作について説明する。
図４に示す油圧回路７は、オイルタンク７１と、オイルタンク７１内の油を加圧状態で供給するモータポンプ７２と、リリーフバルブ７３と、椅子の座部上昇用電磁弁７４と、座部下降用電磁弁７５と、椅子の背凭れ起立用電磁弁７６と、背凭れ伏倒用電磁弁７７と、座部の昇降シリンダ７８と、背凭れの起伏シリンダ７９および絞り弁８０と、逆止弁８１とより構成されている。
【００１７】
そして、調整弁Ａの接続部１２ｂは逆止弁８１と下降用電磁弁７５との接続点と接続されている昇降シリンダ７８との間にホース３を介して接続され、また、調整弁Ａ′は逆止弁８１と伏倒用電磁弁７７との接続点と接続されている伏倒シリンダ７９との間にホース３を介して接続されている。なお、調整弁Ａ，Ａ′の取付部１１ｄはそれぞれの昇降シリンダ７８，起伏シリンダ７９のシリンダ部に接続されている。
【００１８】
このように構成されている油圧回路において、座部を上昇させるために図示しない座部上昇用のスイッチを施術者が操作すると上昇用電磁弁７４が切替えられると共にモータポンプ７２が駆動されて加圧油が上昇用電磁弁７４を介して調整弁Ａの接続部１２ｂに流れるので、加圧油は油路１２ａ、出口側制御オリフィス１２ｃ、貫通孔１１ａ、制御ピストン５、差圧発生用オリフィス５ａおよび取付部１１ｄを介して昇降シリンダ２のシリンダ部内に加圧油が供給される。これにより、昇降シリンダのピストンが加圧油によって上昇するので座部の上昇が開始される。
【００１９】
そして、所望の高さ位置において施術者が前記スイッチを操作してオフにすると、モータポンプの動作が停止しすると共に上昇用電磁弁７４が切替えられ、加圧油の流れは停止し座部はその位置において停止する。
【００２０】
次に、施術が終了するなどして施術者が座部下降用のスイッチを操作すると、下降用電磁弁７５が切替えられるので、昇降シリンダ７８内の油が座部の重量と被施術者の体重とによって取付部１１ｄ内に流れ込む。この昇降シリンダ７５よりの加圧油が取付部１１ｄ内から差圧発生用オリフィス５ａ内から出口側制御オリフィス１２ｃに流れる。この油の流れる力は制御ピストン５をスプリング６のバネ力に抗して移動させようとする。
【００２１】
この移動させようとする力は、座部の重量と被施術者の体重による油の流れによって決定されるので、スプリング６によるバネ力を標準的な体重の被施術者が着座しても制御ピストン５がバネ力に抗して移動したとしても、該制御ピストン５の上端によって出口側制御オリフィス１２ｃの開口部を塞ぐ位置まで上昇しないように調整ネジ４のネジ込み量を調整しておく。
【００２２】
これにより、標準的な体重の被施術者が着座した場合には、制御ピストン５が移動しても出口側制御オリフィス１２ｃの開口部が塞がれないことから、差圧発生用オリフィス５ａを通過した加圧油は制御ピストン５の内部から出口側制御オリフィス１２ｃ、接続部１２ａ、ホース３を介して下降用電磁弁７５からオイルタンク７１内に戻される。従って、昇降シリンダ７８のピストン（座部）の下降速度は出口側制御オリフィス１２ｃの開口を流れる油量による速度で下降することになる。
【００２３】
一方、前記した標準体重の被施術者より体重の重い被施術者が着座している場合には、昇降ピストン７８より流れ出る加圧油量が多くなるので、制御ピストン５を移動させる押圧力が大きくなってスプリング６のバネ力に抗して制御ピストン５を標準体重の被施術者が着座している場合より移動量が大きくなって、制御ピストン５の上端が出口側制御オリフィス１２ｃの開口部の一部を塞ぐ状態となる。
【００２４】
これにより、差圧発生用オリフィス５ａを通過する油量が多くなっても出口側制御オリフィス１２ｃを通過する油量は、標準的な被施術者が着座している場合における座部の下降速度と略同じ速度となる。従って、本発明の調整弁Ａにあっては、体重に相違があっても座部の下降速度は一定に保たれることになる。
【００２５】
前記した動作説明は座部の昇降について説明したが、背凭れの起伏動作（座部の上昇に対して背凭れの起立に対応し、座部の下降に対して背凭れの伏倒に対応する）は、座部の昇降と同じ動作なので、説明は省略する。
【００２６】
前記した油圧回路にあっては、座部の下降時および背凭れの伏倒時に被施術者の体重差があっても同じ速度で下降するようにしたものであるが、座部の上昇時および背凭れの起立時にも体重差があると上昇および起立の速度が異なる。そこで、図５の油圧回路は、両方向において体重差があっても同じ速度で行われるようにしたものである。なお、前記した図４と同一符号は同一部材を示し説明は省略する。
【００２７】
先ず、図４における調整弁ＡまたはＡ′に、それぞれ向きを逆にしてもう一つの調整弁Ａ１，Ａ１′を接続する。すなわち、シリンダ２に接続されている調整弁Ａ，Ａ′の接続部１２ｂに、もう一つの調整弁Ａ１，Ａ１′における接続部１２ｂをネジ管等を利用して接続し、該調整弁Ａ１，Ａ１′の取付部１１ｄを逆止弁８１と下降用電磁弁７５との接続点にホース等を介して接続する。また、この実施例においては、上昇用電磁弁７４と起立用電磁弁７６とモータポンプ７２との間に接続された油量調整弁８０は必要としない。
【００２８】
施術者が座部上昇用のスイッチを操作すると上昇用電磁弁７４が切替えられると共にモータポンプ７２が駆動されて加圧油が上昇用電磁弁７４を介して調整弁Ａ′の取付部１１ｄ内に流れ込が、この時、座部に着座している被施術者の体重が重い場合には昇降シリンダ７８のピストンに加わる荷重が大きいため上昇用電磁弁７４に流れる油量が少なくなるようにリリースバルブ７３を介してオイルタンク７１に戻される。従って、制御ピストン５に流れる油量が少ないので、該制御ピストン５の移動量は小さく出口側制御オャフィス１２ｃの開口は全開状態となり、昇降シリンダ７８のピストンを移動させる油量は出口側制御オャフィス１２ｃを流れる油量によって決定される。
【００２９】
一方、座部に着座している被施術者の体重が軽い場合には、前記したとは逆に大量の加圧油量が制御ピストン５に流れ込むので、該制御ピストン５はスプリング６のバネ力に抗して移動して出口側制御オリフィス１２ｃの開口を小さくすることになる。これにより、出口側制御オリフィス１２ｃより流れ込む油量は少なくなり、従って、昇降シリンダ７８のピストンの移動は遅くなり体重の重い被施術者の上昇速度と同じ速度となる。なお、この上昇速度の調整は調整ネジ４のネジ込み量によって行うことができる。
【００３０】
そして、調整弁Ａ１の接続部１２ａから出る油は、前記した調整弁Ａの接続部１２ａに流れ込むので、前記した上昇時の動作で説明したように、出口側制御オリフィス１２ｃ、制御ピストン５の差圧発生用オリフィス５ａを介して昇降シリンダ７８のシリンダ内に供給されてピストンを上昇させ、座部を被施術者の体重に関係なく同じ速度で上昇させることになる。
【００３１】
また、座部の下降動作においては、前記したように調整弁Ａの動作によって接続部１２ａから一定の油量が流れ出し、調整弁Ａ１の接続部１２ａに流れ込むが、この流れ込んだ油は出口側制御オリフィス１２ｃ、制御ピストン５の差圧発生用オリフィス５ａ、下降用電磁弁７５を介してオイルタンク７１内に戻されるので、下降動作も被施術者の体重に関係なく同じ速度で行われる。
【００３２】
なお、前記した動作説明は座部の昇降について説明したが、背凭れの起伏も同様の動作で行われる。また、理美容椅子のみならず、歯科用椅子や手術台にも応用できることは勿論のことである。
【図面の簡単な説明】
【００３３】
【図１】本発明に係る圧力補償型流量調整弁の一実施例を示す断面図である。
【図２】同上の制御ピストンが油圧シリンダよりの圧力油によって移動した状態を示す断面図である。
【図３】油圧シリンダに組み込んだ状態の側面図である。
【図４】圧力補償型流量調整弁を単体で接続した場合の油圧回路である。
【図５】圧力補償型流量調整弁の２個を直列接続した場合の油圧回路である。
【符号の説明】
【００３４】
１          本体
１１        垂直部
１１ｂ      ネジ孔
１１ｃ      取付部
１２        水平部
１２ａ      接続部
１２ｃ      出口側制御オリフィス
２          油圧シリンダ
３          ホース
４          調整ネジ
５          制御ピストン
５ａ        差圧発生用オリフィス
６          スプリング
【図１】
2008008346.tif 000003
【図２】
2008008346.tif 000004
【図３】
2008008346.tif 000005
【図４】
2008008346.tif 000006
【図５】
2008008346.tif 000007